(57)【特許請求の範囲】
【請求項１】
送信側は各ページの画情報を順次送信する一方、受信側は受信した各ページの画情報を記録紙の各面に順次記録する両面記録ファクシミリ装置において、
複数ページの画情報を送信する際に、奇数ページの画情報と偶数ページの画情報を一定ライン数ずつ交互に送信する送信手段と、
受信した奇数ページの画情報を記録紙の一面に順次記録する第１記録手段と、
受信した偶数ページの画情報を記録紙の他方の面に順次記録する第２記録手段とを備えたことを特徴とする両面記録ファクシミリ装置。
【請求項２】
送信側は各ページの画情報を順次送信する一方、受信側は受信した各ページの画情報を記録紙の各面に順次記録する両面記録ファクシミリ装置における画情報の処理方法において、
送信側は、複数ページの画情報を送信する場合、奇数ページの画情報と偶数ページの画情報を一定ライン数ずつ交互に送信する一方、受信側は、記録紙の各面にそれぞれ画像記録する２つの画像記録手段を備え、受信した奇数ページの画情報は、その画像記録手段の一方を使用して記録紙の一面に順次記録すると共に、受信した偶数ページの画情報は上記画像記録手段の他方を使用して記録紙の他方の面に順次記録することを特徴とする両面記録ファクシミリ装置の画情報の処理方法。
【請求項３】
受信側の上記２つの画像記録手段を記録紙両面の同一位置に配置し、送信側では、偶数ページの画情報を奇数ページの画情報よりも時間をかけて送信する一方、受信側では、奇数ページの一定ライン数の画情報を記録紙に記録した後、記録紙を一定ライン数だけ逆送りして偶数ページの画情報の記録位置に戻すことを特徴とする請求項２記載の両面記録ファクシミリ装置の画情報の処理方法。
【請求項４】
送信側では、偶数ページの画情報は、奇数ページの画情報よりも送信するデータ伝送速度を遅くすることを特徴とする請求項３記載の両面記録ファクシミリ装置の画情報の処理方法。
【請求項５】
送信側では、画情報をデータ圧縮して送信する場合、偶数ページの画情報は、奇数ページの画情報よりも圧縮率の低い符号化方式によりデータ圧縮することを特徴とする請求項３記載の両面記録ファクシミリ装置の画情報の処理方法。
【請求項６】
受信側の上記２つの画像記録手段を、記録紙両面に副走査方向一定ライン数分だけずれた位置に配置したことを特徴とする請求項２記載の両面記録ファクシミリ装置の画情報の処理方法。
【発明の詳細な説明】
【０００１】
【産業上の利用分野】
本発明は、複数ページの受信画像を記録紙の両面に１ページずつ記録する両面記録ファクシミリ装置及びその装置における画情報の処理方法に関する。
【０００２】
【従来の技術】
本願の発明者らは、先に特願平５−２５５３２９号明細書において、この種のファクシミリ装置を提案している。
【０００３】
その提案のファクシミリ装置は、記録紙の片面に１ページの画像を記録した後、その記録紙を裏返して他方の面に次の１ページの画像を記録するようにしている。また、その場合、記録紙の表面（おもてめん）の画像は、通常どおり原稿画像の先頭ラインから順に記録するが、裏面の画像は、原稿画像の最終ラインから反対方向に記録するようにしている。
【０００４】
これにより、記録紙に画像記録する記録装置が１つで済むと共に、記録紙を裏返して記録部に再セットする搬送装置が簡単な構成で済むようになる。
【０００５】
ここで、上記ファクシミリ装置が、複数ページの画情報を受信する場合の動作を考える。
【０００６】
この場合、図１３（ａ）に示すように、送信側から圧縮データを１ページ単位に順次受信する。この圧縮データは、画情報が符号化されたものである。ここでは、例えば、ＭＭＲ（Ｍｏｄｉｆｉｅｄ  Ｍｏｄｉｆｉｅｄ  Ｒｅｌａｔｉｖｅｅｌｅｍｅｎｔ  ａｄｄｒｅｓｓ  ｄｅｓｉｇｎａｔｅ）方式で符号化されているものとする。
【０００７】
ファクシミリ装置は、１ページ目Ｐ１の圧縮データを受信すると、必要に応じて画像メモリに一時格納しながら読み出して元の画情報に戻す。そして、同図（ｃ）に示すようなタイミングで、記録紙の片面に先頭ラインから順次画像記録する。１ページ目Ｐ１の画像記録が終ると、同図（ｄ）に示すように、記録紙を裏返して記録位置に再セットする。
【０００８】
次に、２ページ目Ｐ２の圧縮データを受信すると、同図（ｂ）に示すように、必ず画像メモリに一時格納する。そして、１ページ分受信し終わると、画像メモリ内で復号して元の１ページ分の画情報に展開する。そして、その展開した画情報を、記録紙の裏面に、上記と反対の方向、すなわち最終ラインから先頭方向に順次画像記録する。
【０００９】
上記２ページ目の受信動作中、３ページ目Ｐ３の圧縮データを受信する。３ページ目Ｐ２の圧縮データは、必ず画像メモリに一時格納する。そして、２ページ目Ｐ２の上記記録動作が終了した後、その３ページ目Ｐ３の圧縮データを元の画情報に戻して、別の記録紙の表面に画像記録する。
【００１０】
この後、上記２ページ目Ｐ２の動作と３ページ目Ｐ３の動作とを交互に繰り返す。従って、偶数ページの圧縮データを処理する場合には、画像メモリ内で元の画情報を１ページ分展開した後、記録動作を実行することになる。
【００１１】
元の画情報を１ページ分展開するのは、画情報がＭＭＲ方式で符号化されているためである。ＭＭＲ方式では、各ラインの画情報は、前ラインを参照しながら順次符号化するので、最終ラインの画情報を取り出すためには、全ての画情報を再生しなければならない。
【００１２】
従って、上記動作では、ファクシミリ装置の画像メモリは、例えば、展開された２ページ目Ｐ２の画情報を格納している期間中に、受信する３ページ目Ｐ３の圧縮データをさらに格納する必要がある。
【００１３】
すなわち、上記画像メモリは、少なくとも、圧縮されていない生の画情報１ページ分と、圧縮データ１ページ分とを同時に格納するだけの容量が必要になる。
【００１４】
【発明が解決しようとする課題】
以上のように、記録紙の両面に画像記録する場合、受信データを一時格納するために、大容量のメモリが必要になってしまうという問題があった。
【００１５】
本発明は、上記の問題を解決し、メモリ容量を削減することができる両面記録ファクシミリ装置及びその装置における画情報の処理方法を提供することを目的とする。
【００１６】
【課題を解決するための手段】
このため本発明は、送信側は、複数ページの画情報を送信する場合、奇数ページの画情報と偶数ページの画情報とを一定ライン数ずつ交互に送信する一方、受信側は、記録紙の各面にそれぞれ画像記録する２つの画像記録手段を備え、受信した奇数ページの画情報は、その画像記録手段の一方を使用して記録紙の一面に順次記録すると共に、受信した偶数ページの画情報は、上記画像記録手段の他方を使用して記録紙の他方の面に順次記録することを特徴とする。
【００１９】
【作用】
上記構成により、受信側が、連続的に受信する画情報に対して、処理速度が追いつかず、受信した画情報を一時メモリに格納する場合でも、メモリには一定ライン数分の画情報を格納すればよいので、メモリ容量を削減することができる。
【００２１】
【実施例】
以下、添付図面を参照しながら、本発明の実施例を詳細に説明する。
【００２２】
図１は、本発明の第１の実施例に係るファクシミリ装置のブロック構成図を示したものである。図において、スキャナ１は原稿画像を読み取るもので、両面記録プロッタ２は受信画像を記録紙の両面に記録出力するものである。符号化復号化部３は、送信する画情報を符号化してデータ圧縮する一方、受信した画情報を復号して元の画情報に戻すものである。この符号化復号化部３には、画情報を複数ページ送信する際に、１ページごとに画情報の符号化方式を切り換える符号化方式切換手段３ａを備えている。
【００２３】
画像メモリ４は、送受信する画情報を必要に応じて一時格納するものである。モデム５は、画情報や伝送制御のための各種手順信号を送受信するものである。網制御装置６は、電話回線が接続され、発着信の際に所定の回線制御を行なうものである。操作表示部７は、オペレータが各種操作を行なうと共に、装置が動作状態等を表示するものである。システム制御部８は、上記各部を制御するマイクコンピュータであり、システムバス９は、上記各部が相互間で各種制御信号やデータをやりとりする信号ラインである。
【００２４】
図２は、両面記録プロッタ２の内部構成を示す模式図である。図において、記録紙収納部２ａは、定形サイズの記録紙Ｐを多数収容するものである。記録紙搬送装置２ｂは、その記録紙収納部２ａから記録紙Ｐを１枚ずつ取り出して搬送するものである。記録装置２ｃは、その記録紙Ｐに画像記録するものである。記録紙反転復帰装置２ｄは、片面に画像記録した記録紙Ｐを裏返して再度記録紙搬送装置２ｂに引渡すものである。
【００２５】
以上の構成で、次に本実施例のファクシミリ装置相互間の通信動作を説明する。
【００２６】
送信側のオペレータは、スキャナ１に送信原稿をセットして、操作表示部７で所定の発信操作を実行する。これにより、送信側ファクシミリ装置は、受信側に発呼する。受信側ファクシミリ装置が応答すると、両者装置は、既知の伝送制御手順を開始する。そして、さらに送信側は画情報の送信処理、受信側は画情報の受信処理をそれぞれ開始する。
【００２７】
送信側ファクシミリ装置は、送信処理を開始すると、図３に示すように、スキャナ１で原稿画像を１ライン読み取る（処理１０１）。そして、いま読み取っている原稿画像が、原稿の奇数ページであるのか偶数ページであるのかを判別する（処理１０２）。
【００２８】
読み取っている原稿画像が奇数ページである場合には（処理１０２のＹ）、読み取った１ラインの画情報をＭＭＲ方式により符号化してデータ圧縮する（処理１０３）。一方、偶数ページである場合には（処理１０２のＮ）、読み取った１ラインの画情報をＭＨ（Ｍｏｄｉｆｉｅｄ  Ｈｕｆｆｍａｎ）方式により符号化してデータ圧縮する（処理１０４）。
【００２９】
なお、ＭＭＲは、２次元逐次処理符号化と呼ばれるもので、１ページの画情報を１ラインずつ順次符号化する際に、常に手前の１ラインを参照する符号化方式である。従って、１ページの第１ラインの画情報が最終ラインまでの全ての符号情報に影響を及ぼすことになる。ＭＨは、１次元符号化と呼ばれるもので、画情報を１ラインずつ符号化する際に、他のラインを参照しない符号化方式である。この場合、各ラインの画情報とその符号情報とは１：１に対応し、１ラインの画情報が他のラインの符号情報に影響しない。
【００３０】
ファクシミリ装置は、このようにして符号化した１ライン分の圧縮データを送信する（処理１０５）。この後、前ページ送信し終ったかどうか判別し（処理１０６）、まだ送信し終っていない場合（処理１０６のＮ）、同様の処理を繰り返す（処理１０１）。
【００３１】
これにより、図４（ａ）に示すように、送信側から各ページの圧縮データが順次送信される。この場合、奇数ページＰ１，Ｐ３・・・の画情報は、ＭＭＲ方式でデータ圧縮されたものであり、奇数ページＰ２，Ｐ４・・・の画情報は、ＭＨ方式でデータ圧縮されたものである。
【００３２】
送信側ファクシミリ装置は、前ページ送信し終ると（処理１０６のＹ）、送信処理を終了する。
【００３３】
一方、受信側ファクシミリ装置は、図４（ｂ）に示すように、圧縮データを受信すると、一旦画像メモリ４に格納する。次いで、記録処理を開始する。
【００３４】
図５は、この記録処理を示したもので、まず、両面記録プロッタ２内の記録紙搬送装置２ｂは、記録紙収納部２ａから新しい記録紙を１枚取り出して記録位置にセットする（処理２０１）。この後、画像メモリ４に蓄積している１ページ分の圧縮データを先頭ラインから順次元の画情報に戻して、得られた画情報を記録装置２ｃにより記録紙Ｐに記録する（処理２０２）。
【００３５】
この場合、図６（ａ）に示すように、記録紙Ｐが記録装置２ｃの下部を通過するように搬送され、その表面Ａに１ページの受信画像が記録される。
【００３６】
この後、次ページがあるかどうか判別する（処理２０３）。次ページがある場合（処理２０３のＹ）、いま画像記録した記録紙Ｐを裏返して記録装置２ｃの記録位置に際セットする。すなわち、記録紙反転復帰装置２ｄは、図６（ｂ）に示すように、記録装置２ｃを通過した記録紙Ｐを引き戻して、その後端部を記録紙搬送装置２ｂに引き渡す。記録紙搬送装置２ｂは、同図（ｃ）に示すように、その記録紙Ｐを受け取って記録位置に再度セットする。これにより、記録紙Ｐは裏返されて、裏面Ｂに画像記録する状態になる。また、このとき、記録紙Ｐの搬送方向の向きが、同図（ａ）とは反対になる（処理２０４）。
【００３７】
この後、ファクシミリ装置は、画像メモリ４内の次ページの圧縮データの読み取りを開始する。この場合、圧縮データの最終ラインから１ラインずつ順次元の画情報に戻して、得られた画情報を記録紙Ｐに記録する（処理２０５）。なお、この画情報は偶数ページであり、ＭＨ方式で符号化されているので、圧縮データの最終ラインから１ラインずつ元の画情報を再生することができる。これにより、記録紙Ｐの裏面Ｂに１ページの受信画像が記録される。
【００３８】
裏面Ｂの記録動作が終ると、両面記録プロッタ２は画像記録した記録紙Ｐを排紙する（処理２０６）。そして、次ページの圧縮データがあるかどうか判別する（処理２０７）。次ページの圧縮データがある場合には（処理２０７のＮ）、同様の処理を繰り返す（処理２０１へ）。
【００３９】
これにより、各ページの受信画像が記録紙Ｐの各面に順次記録されるようになる。
【００４０】
図４（ｃ）は、各ページの記録タイミング、同図（ｄ）は、記録紙Ｐを裏返して再セットする動作タイミングをそれぞれ示している。すなわち、奇数ページの画像記録の後、記録紙Ｐを裏返して再セットし、偶数ページを記録している。また、偶数ページを画像記録する場合には、最終ラインから逆方向に記録することにより、記録紙Ｐの表面Ａと裏面Ｂの画像の上下が一致することになる。
【００４１】
いま、このようにして受信画像を最終ページまで記録し終わったとする。この場合、記録紙Ｐの表面Ａに画像記録して終了する場合と、表面Ｂに画像記録して終了する場合とがある。表面Ａに画像記録して終了する場合には（処理２０３のＮ）、裏面Ｂに画像しないまま記録紙Ｐを排紙して（処理２０８）、以上の記録処理を終了する。また、表面Ｂに画像記録して終了する場合には（処理２０７のＮ）、記録紙Ｐを排紙した後（処理２０６）、そのまま終了する。
【００４２】
以上のように、本実施例では、奇数ページの画情報はＭＭＲ方式で符号化して送信するが、偶数ページの画情報はＭＨ方式という１次元符号化方式で符号化して送信するようにしている。そして、受信側では、奇数ページの圧縮データは、通常どおり先頭ラインから順次元の画情報に戻して記録紙の一面に記録する一方、偶数ページの画情報は、圧縮データのままメモリに一時格納した後、最終ラインから順次元の画情報に戻して記録紙の他方の面に記録するようにしている。
【００４３】
このように、偶数ページの画情報を１次元符号化方式で符号化することにより、従来のように、１ページの圧縮データ全体を元の画情報に展開してメモリに格納する必要がなくなる。従って、上記実施例では、画像メモリ４は、２ページ分の圧縮データと復号した元の画情報１〜２ライン分を格納できる容量があればよいことになる。これにより、画情報を蓄積するメモリ容量を削減することができるようになる。
【００４４】
また、本実施例では、奇数ページの画情報は、圧縮率の高いＭＭＲ方式でデータ圧縮して伝送するようにしたので、通信時間を極力短縮することができる。
【００４５】
なお、上記実施例では、偶数ページの画情報は１次元符号化方式で符号化するようにしたが、例えば、ＭＲ（Ｍｏｄｉｆｉｅｄ  Ｒｅｌａｔｉｖｅ  ｅｌｅｍｅｎｔ  ａｄｄｒｅｓｓ  ｄｅｓｉｇｎａｔｅ）方式のような２次元符号化方式で符号化するようにしてもよい。ＭＲ方式で画情報を符号化する場合、１ラインの画情報がその後の複数ラインの符号情報に影響を及ぼす。この影響を及ぼすライン数は、設定されるＫパラメータに対応するもので、通常数ラインである。従って、１ページの圧縮データは、数ライン単位で最終ライン側から順次再生することができる。この場合、再生した数ライン分の画情報を一時格納するだけ余分にメモリ容量が必要になる。しかし、１ページ分のメモリ容量が必要であった従来と比較すると、メモリ容量を大幅に削減することができる。
【００４６】
図７は、本発明の第２の実施例に係るファクシミリ装置のブロック構成図である。本実施例のファクシミリ装置は、図１と同一名称の各部により構成されているが、両面記録プロッタ１０、符号化復号化部１１およびモデム１２が、図１のものと異なっている。
【００４７】
図８は、両面記録プロッタ１０の内部構成の模式図である。図において、記録紙収納部１０ａは記録紙を収容するものである。記録紙搬送装置１０ｂは、その記録紙収納部１０ａから記録紙Ｐを１枚ずつ取り出して搬送するものである。記録装置１０ｃと記録装置１０ｄは、記録紙Ｐの各面にそれぞれ画像記録するものである。
【００４８】
本実施例の符号化復号化部１１は、通信中に符号化方式を切り換えることはない既知機能のものである。一方、モデム１２は、圧縮データの送信中、周期的にデータ伝送速度を高低２段階に切り換える伝送速度切換手段１２ａを備えている。
【００４９】
以上の構成で、次に本実施例のファクシミリ装置相互間の通信動作を説明する。
【００５０】
送信側のオペレータは、前述の実施例と同様に、送信原稿をセットして、所定の発信操作を実行する。これにより、送信側ファクシミリ装置は、受信側に発呼して、所定の通信手順順の後、送信側は画情報の送信処理、受信側は画情報の受信処理をそれぞれ開始する。
【００５１】
送信側ファクシミリ装置は、送信処理を開始すると、図９に示すように、スキャナ１により原稿画像を２ページ分読み取って得られた画情報を一旦画像メモリ４に蓄積する（処３０１）。
【００５２】
次に、ファクシミリ装置は、蓄積した１ページ目の画情報を予め設定されている一定ライン数分、例えば１０ライン分だけ読み出して符号化復号化部１１によりデータ圧縮する（処理３０２）。そして、得られた圧縮データをモデム１２により９６００ｂｐｓのデータ伝送速度で送信する（処理３０３）。
【００５３】
次に、蓄積した画情報の２ページ目から一定ライン数分の画情報を読み出してデータ圧縮する（処理３０４）。そして、圧縮データを４８００ｂｐｓのデータ伝送速度で送信する（処理３０５）。
【００５４】
この後、蓄積した２ページ分の画情報を送信し終わったかどうか判別し（処理３０６）、まだ終わっていない場合（処理３０６のＮ）、同様の処理を繰り返す（処理３０２へ）。
【００５５】
これにより、図１０に示すように、１ページ目Ｐ１の圧縮データと２ページ目Ｐ２の圧縮データが一定ライン数単位で交互に送信される。この場合、２ページ目Ｐ２は、データ伝送速度が遅いので、その分伝送時間がかかることになる。
【００５６】
ファクシミリ装置は、このようにして２ページ分送信し終わると（処理３０６のＹ）、セットされた送信原稿を全ページ送信し終ったかどうか判別する（処理３０７）。まだ、送信原稿が残っている場合には（処理３０７のＮ）、次の２ページ分を同様に処理する（処理３０１へ）。
【００５７】
このようにして、全ページ送信し終ると（処理３０７のＹ）、以上の送信処理を終了する。
【００５８】
なお、図示していないが、上記処理３０１を繰り返す際に、残っている原稿が１ページだけの場合には、１ページだけ読み取って画情報を蓄積する。そして、その場合、処理３０４と処理３０５は、実行しないようにする。
【００５９】
一方、受信側ファクシミリ装置は、受信処理を開始すると、図１０（ｂ）に示すように、送信される圧縮データを受信して画像メモリ４に一時格納する。そして、記録処理を実行する。
【００６０】
記録処理を開始すると、図１１に示すように、両面記録プロッタ１０内の記録紙搬送装置１０ｂは、記録紙収納部１０ａから新しい記録紙Ｐを１枚取り出して記録位置セットする（処理４０１）。次いで、画像メモリ４から一定ライン数分の圧縮データを読み出して元の画情報に戻す。そして、記録装置１０ｃにより記録紙Ｐの表面にその一定ライン数分の画像を記録する（処理４０２）。
【００６１】
この後、記録紙搬送装置１０ｂにより記録紙Ｐを一定ライン数分逆送りする（処理４０３）。そして、次に受信している一定ライン数分の圧縮データを読み出して元の画情報に戻す。そして、記録装置１０ｄにより記録紙Ｐの裏面に対応する画像を記録する（処理４０４）。
【００６２】
この後、同一ページの圧縮データがさらに継続して送信されているかどうか判別し（処理４０５）、継続している場合（処理４０５のＹ）、同様の処理を繰り返す（処理４０２へ）。
【００６３】
そして、２ページ分の処理が終った場合（処理４０５のＮ）、記録紙Ｐを排紙する（処理４０６）。この後、さらに次ページを受信しているかどうか判別する（処理４０７）。次ページがある場合（処理４０７のＹ）、新しい記録紙Ｐを取り出して同様の処理を繰り返す（処理４０１へ）。
【００６４】
図１０（ｃ）は、一定ライン数単位に画像記録するタイミング、同図（ｄ）は、記録紙Ｐを逆送りする動作タイミングをそれぞれ示している。すなわち、奇数ページの画像は、そのページの圧縮データを受信した後、直ちに記録している。そして、その奇数ページの画像記録の後、記録紙Ｐを一定ライン数分逆送りしている。この記録紙Ｐの逆送り動作中に受信する偶数ページの圧縮データは、画像メモリ４に一時格納され、その逆送り動作終了後、偶数ページの画像を記録している。
【００６５】
このようにして、全ページ処理すると（処理４０７のＮ）、以上の記録処理を終了する。
【００６６】
なお、図示していないが、処理４０７で次ページ有りと判定し、処理４０１から動作を繰り返す際に、残っている受信画像が１ページだけの場合には、処理４０２を実行した後、処理４０３と処理４０４は、実行しないようにする。
【００６７】
以上のように、本実施例では、両面記録プロッタ１０内に、記録紙Ｐの各面にそれぞれ画像記録する２つの記録装置１０ｃ，１０ｄを配設している。そして、送信側では、奇数ページの画情報と次の偶数ページの画情報を一定ライン数ずつ交互に送信し、受信側では、受信した奇数ページの画情報は、記録装置１０ｃで画像記録し、偶数ページの画情報は記録装置１０ｄで画像記録するようにしている。
【００６８】
また、受信側では、奇数ページの画情報を記録した後、記録紙Ｐを逆送りして偶数ページの画情報を記録している。そして、この記録紙Ｐの逆送り動作中、受信する偶数ページの圧縮データを画像メモリ４に一時格納している。
【００６９】
従って、画像メモリ４は、少なくとも上記圧縮データを一時格納するだけの容量が必要なる。この場合、本実施例では、画情報を一定ライン数単位で伝送するので、画像メモリ４は、その一定ライン数分の圧縮データを格納できればよいことになる。これにより、画像メモリ４のメモリ容量を削減することができようになる。
【００７０】
また、送信側は、偶数ページの圧縮データを送信する場合、データ伝送速度を低くして、奇数ページよりも、時間をかけて送信するようにしている。これにより、受信側では、偶数ページの圧縮データ受信中に、記録紙Ｐを逆送りすることができるので、送信される圧縮データを順次確実に記録することができる。
【００７１】
なお、上記実施例では、送信側は、奇数ページの圧縮データを９６００ｂｐｓ、偶数ページの圧縮データを４８００ｂｐｓでそれぞれ送信するようにしたが、これらのデータ伝送速度は任意に設定できることはいうまでもない。
【００７２】
また、偶数ページの圧縮データを、時間をかけて送信するために、上記のようにデータ伝送速度を下げるようにしたが、図１の実施例のように、画情報の符号化方式を切り換えて、送信時間を変えるようにしてもよい。
【００７３】
例えば、通常の２値画情報の場合、ＭＭＲ方式は、ＭＨ方式よりもデータ圧縮効果が高いので、奇数ページの画情報はＭＭＲ方式で符号化して送信し、偶数ページの画情報はＭＨ方式で符号化して送信すればよい。但し、擬似中間調の２値画情報の場合、上記とは反対に、ＭＨ方式の方が圧縮率が高くなることがある。この場合には、上記とは反対に符号化方式を設定すればよい。これにより、偶数ページの圧縮データの送信時間長くすることができる。
【００７４】
また、送信側は、奇数ページの圧縮データを送信した後、直ちに偶数ページの圧縮データを送信するようにしたが、受信側で偶数ページの記録準備ができた後、偶数ページの圧縮データを送信するようにしてもよい。これにより、受信側が、偶数ページの圧縮データを画像メモリ４に一時格納しなくても済み、画像メモリ４のメモリ容量をさらに削減することができる。
【００７５】
さらに、上記実施例では、記録装置１０ｃと記録装置１０ｄとは、記録紙Ｐの両側の同一位置に配設したが、図１２に示すように、記録装置１０ｄを記録装置１０ｃから記録紙Ｐの搬送方向に一定ライン数分ずらした位置に配設してもよい。これにより、記録紙Ｐを逆送りしなくてもよくなる。また、送信側が偶数ページの圧縮データを奇数ページよりも時間をかけて送信しなくてもよくなる。
【００７６】
【発明の効果】
以上説明したように、本願発明によれば、送信側は、奇数ページの画情報と偶数ページの画情報とを一定ライン数ずつ交互に送信し、受信側は、各ページの画情報を２つの画像記録手段で記録紙に各面にそれぞれ記録するようにしたので、受信側の記録処理が間に合わず、受信した画情報を一時メモリに格納する場合でも、そのメモリは一定ライン数分の画情報を格納できればよいので、メモリ容量を削減することができるようになる。
【図面の簡単な説明】
【図１】本発明の第１の実施例に係るファクシミリ装置のブロック構成図である。
【図２】両面記録プロッタの内部構成の模式図である。
【図３】ファクシミリ装置の送信処理の動作フローチャートである。
【図４】ファクシミリ装置の動作タイミングを示すタイムチャートである。
【図５】受信側ファクシミリ装置の記録処理の動作フローチャートである。
【図６】両面記録プロッタの動作説明図である。
【図７】本発明の第２の実施例に係るファクシミリ装置のブロック構成図である。
【図８】上記実施例における両面記録プロッタの内部構成の模式図である。
【図９】上記実施例における送信処理のフローチャートである。
【図１０】上記実施例におけるファクシミリ装置の動作タイミングを示すタイムチャートである。
【図１１】上記実施例における受信側ファクシミリ装置の記録処理の動作フローチャートである。
【図１２】記録装置の配設位置を変えた両面記録プロッタの他の実施例を示す説明図である。
【図１３】従来のファクシミリ装置の動作タイミングを示すタイムチャートである。
【符号の説明】
１  スキャナ
２，１０  両面記録プロッタ
２ａ，１０ａ  記録紙収納部
２ｂ，１０ｂ  記録紙搬送装置
２ｃ，１０ｃ，１０ｄ  記録装置
２ｄ  記録紙反転復帰装置
３，１１  符号化復号化部
３ａ  符号化方式切換手段
４  画像メモリ
５，１２  モデム
６  網制御装置
７  操作表示部
８  システム制御部
９  システムバス
１２ａ  伝送速度切換手段
Ｐ  記録紙
【図１】
0003558670.tif 000002
【図２】
0003558670.tif 000003
【図３】
0003558670.tif 000004
【図４】
0003558670.tif 000005
【図５】
0003558670.tif 000006
【図６】
0003558670.tif 000007
【図７】
0003558670.tif 000008
【図８】
0003558670.tif 000009
【図９】
0003558670.tif 000010
【図１０】
0003558670.tif 000011
【図１１】
0003558670.tif 000012
【図１２】
0003558670.tif 000013
【図１３】
0003558670.tif 000014